(57)【要約】      （修正有）【課題】基板用コネクタとパネル用コネクタとの接続作業が簡単で容易な太陽光発電システム用コネクタ構造を提供する。【解決手段】太陽光発電システムにおけるマイクロインバータ用筐体２のコネクタ取付用に貫通させた取付孔２ａを挟んで、筐体２の内側でプリント基板３に実装されるとともに取付孔２ａに向かって配置される雌雄いずれか一つの接続部を有する基板用コネクタ４と、筐体２の外側で取付孔２ａに対抗して配置されるとともに取付孔２ａに挿通させて基板用コネクタ４の接続部に相補的に接続させる接続部を有するパネル用コネクタ５と、筐体２における取付孔部分の外周面とパネル用コネクタ５の取付用フランジとの間に介在される防水用のパッキン６とでなり、パネル用コネクタ５を取付孔２ａから差し込んでその接続部をプリント基板３上の基板用コネクタ４の接続部に嵌合させて電気的に接続させる太陽光発電システム用コネクタ構造とする。【選択図】図１
2013145707.tif 000002
【特許請求の範囲】
【請求項１】
太陽光発電システムにおけるマイクロインバータ用筐体のコネクタ取付用に貫通させた取付孔を挟んで、
前記筐体の内側でプリント基板に実装されるとともに前記取付孔に向かって配置される雌雄いずれか一つの接続部を有する基板用コネクタと、
前記筐体の外側で前記取付孔に対抗して配置されるとともに前記取付孔に挿通させて前記基板用コネクタの接続部に相補的に接続させる接続部を有するパネル用コネクタと、
前記筐体における取付孔部分の外周面と前記パネル用コネクタの取付用フランジとの間に介在される防水用のパッキンとでなり、
前記パネル用コネクタを前記取付孔から差し込んでその接続部を前記プリント基板上の基板用コネクタの接続部に嵌合させて電気的に接続させること、
を特徴とする太陽光発電システム用コネクタ構造。
【請求項２】
基板用コネクタにおける雌雄いずれか一つの接続部は、該基板用コネクタの本体部に対して別体であって取付孔に向かって進退自在に支持された嵌合用絶縁体に設けられていること、
を特徴とする請求項１に記載の太陽光発電システム用コネクタ構造。
【請求項３】
基板用コネクタの接続部とパネル用コネクタの接続部との嵌合方法は、ワンタッチロック構造、バイオネット構造のいずれか一つであること、
を特徴とする請求項１に記載の太陽光発電システム用コネクタ構造。
【発明の詳細な説明】
【技術分野】
【０００１】
本発明は、太陽光発電システム用コネクタ構造に関するものである。
【背景技術】
【０００２】
従来、太陽電池モジュールの発電する電力を最適化する方法として、図７（Ａ）に示すように、太陽電池パネル（以下、単にパネルという）を直列または並列に接続して出力された電圧はパワーコンデショナーに送られ、このパワーコンデショナーにおいて直流電圧を交流電圧に変換され電力網と同期される（特許文献１参照）。これに対して、近年では小規模太陽光発電システムにおける各パネルの変換効率のバラツキに対応すべく、図７（Ｂ）に示すように、パネル毎にマイクロインバータ（パワーコンデショナー）を使用することが知られている。このシステムは、パネル毎の最大電力点を検出するようにしたものである。前記マイクロインバータは、パネルに設置されている端子ボックスに直接接続されるため、屋外使用として防水構造をとった箱型筐体となっている。内部基板への取り付け方法は、図６（Ａ）に示すように、ねじ締め若しくは圧着端子付の半田付け、芯線を直接半田付けする等の方法がある。
【先行技術文献】
【特許文献】
【０００３】
【特許文献１】特開２００４−２１４４７５号公報
【発明の概要】
【発明が解決しようとする課題】
【０００４】
しかし、従来の太陽光発電システム用コネクタ構造においては、防止構造の機能を確保するために、図６（Ａ），（Ｂ）に示すように、筐体部との防水を得るべく、筐体の内側からナットを締め付ける構造である。よって、手間がかかり作業能率が悪いという課題がある。更に、図５（Ａ），（Ｂ）にて部品点数を示すように、ナット締付け構造ではネジ・ナットおよび防水キャップ等が必要で、部品点数が多くなり在庫管理に手間がかかり、組立て作業工数も増加するという課題がある。本発明に係る太陽光発電システム用コネクタ構造は、このような課題を解決するために提案されたものである。
【課題を解決するための手段】
【０００５】
本発明に係る太陽光発電システム用コネクタ構造の上記課題を解決して目的を達成するための要旨は、太陽光発電システムにおけるマイクロインバータ用筐体のコネクタ取付用に貫通させた取付孔を挟んで、前記筐体の内側でプリント基板に実装されるとともに前記取付孔に向かって配置される雌雄いずれか一つの接続部を有する基板用コネクタと、前記筐体の外側で前記取付孔に対抗して配置されるとともに前記取付孔に挿通させて前記基板用コネクタの接続部に相補的に接続させる接続部を有するパネル用コネクタと、前記筐体における取付孔部分の外周面と前記パネル用コネクタの取付用フランジとの間に介在される防水用のパッキンとでなり、前記パネル用コネクタを前記取付孔から差し込んでその接続部を前記プリント基板上の基板用コネクタの接続部に嵌合させて電気的に接続させることである。
【０００６】
前記基板用コネクタにおける雌雄いずれか一つの接続部は、該基板用コネクタの本体部に対して別体であって取付孔に向かって進退自在に支持された嵌合用絶縁体に設けられていることである。
【０００７】
更に、基板用コネクタの接続部とパネル用コネクタの接続部との嵌合方法は、ワンタッチロック構造、バイオネット構造のいずれか一つであることを含むものである。
【発明の効果】
【０００８】
本発明の太陽光発電システム用コネクタ構造によれば、基板用コネクタとパネル用コネクタとの接続作業が簡単で容易になり、作業能率が向上する。また、部品点数が減少するので在庫管理が容易になりコスト低減となる、と言う優れた効果を奏するものである。
【図面の簡単な説明】
【０００９】
【図１】同本発明に係る太陽光発電システム用コネクタ構造の第１実施例に係る正面側斜視図（Ａ）、背面側斜視図（Ｂ）、縦断面図（Ｃ）である。
【図２】本発明に係る太陽光発電システム用コネクタ構造の第２実施例に係る正面側斜視図（Ａ）、背面側斜視図（Ｂ）、縦断面図（Ｃ）である。
【図３】本発明に係る太陽光発電システム用コネクタ構造の第３実施例に係る正面側斜視図（Ａ），（Ｂ）、背面側斜視図（Ｃ）、縦断面図（Ｄ）である。
【図４】本発明に係る太陽光発電システムにおけるコネクタ構造の部品点数を示す表図である。
【図５】従来例に係る太陽光発電システムにおけるコネクタ構造（２例）の部品点数を示す表図である。
【図６】従来例に係る太陽光発電システムにおけるコネクタ構造（２例）の実施例における縦断面図（Ａ），（Ｂ）である。
【図７】公知の太陽光発電システムの配置図（Ａ），（Ｂ）である。
【発明を実施するための形態】
【００１０】
本発明に係る太陽光発電システム用コネクタ構造は、図１乃至図３に示すように、筐体の外側からパネル用コネクタを差し込んで嵌合させるだけで電気的接続がなされるものである。
【実施例１】
【００１１】
本発明に係る太陽光発電システムのコネクタ構造１は、図１（Ａ）〜（Ｃ）に示すように、太陽光発電システムにおけるマイクロインバータ用筐体2のコネクタ取付用に貫通させた取付孔２ａを挟んで、前記筐体2の内側でプリント基板３に半田付け若しくはプレスインや表面実装などにより実装されるとともに、前記取付孔２ａに向かって配置される雌雄いずれか一つの接続部４ａを有する基板用コネクタ４がある。
【００１２】
前記筐体２の外側で前記取付孔２ａに対抗して配置されるとともに前記取付孔２ａに挿通させて前記基板用コネクタ４の接続部４ａに相補的に接続させる接続部５ａを有するパネル用コネクタ５（図１（Ａ）にて、左側がコネクタプラグ、右側がコネクタジャックを示す、以下、図２（Ａ）、図３（Ａ）にて同様）がある。
【００１３】
前記筐体２における取付孔２ａ部分の外周面と前記パネル用コネクタ５の取付用フランジ５ｂとの間には、図１（Ｃ）に示すように、介在される防水用のパッキン６がある。
【００１４】
前記基板用コネクタ４の接続部４ａと、パネル用コネクタ５の接続部５ａとの接続は、この第１実施例では、２ピーススクリューロック構造であり、基板用コネクタ４における雌雄いずれか一つの接続部４が、該基板用コネクタの本体部に対して別体で内包されて、取付孔２ａに向かって進退自在に支持された嵌合用絶縁体７に設けられているものである。基板用コネクタ４は、プリント基板３に実装されている。
【００１５】
接続作業は、前記パネル用コネクタ５を前記取付孔２ａから差し込んでその接続部５ａを前記プリント基板３上の基板用コネクタ４の接続部４ａに嵌合させて電気的に接続させるものである。これにより、面倒なナット締め作業が省略される。
【００１６】
前記パッキン６は、前記パネル用コネクタ５の接続部５ａに挿着される。前記パネル用コネクタ５が取付孔２ａに挿入されて、前記基板用コネクタ４に接続されることで、取付用フランジ５ｂと筐体２外周面との間に挟持され防水作用を発揮するものである。
【００１７】
前記嵌合用絶縁体７の進退については、ねじ嵌合の際に、接合部７ａが、相手方のパネル用コネクタ５の接続部５ａと一緒に同方向に回っては、ねじ嵌合が進まない。よって、回転しないで進退するように、進退方向に沿った凹溝とこの凹溝に嵌合する突部を、基板コネクタ４の内周壁と、嵌合用絶縁体の外周部に設けるようにする。
【００１８】
この第１実施例によれば、プリント基板３上に実装された基板用コネクタ４の本体部に、ねじ嵌合の際のトルクが作用せず、プリント基板３が取付孔２ａ側に無理やり引っ張られることが無く、プリント基板３に進退方向の応力が作用しないので保護される。
【実施例２】
【００１９】
この第２実施例は、図２（Ａ）〜（Ｃ）に示すように、ワンタッチロック構造であって、パネル用コネクタ５の接続部５ａにおいて、ロック金具５ｄが周方向に複数個設けられている。このロック金具５ｄが、取付孔２ａを通過する際に接続部５ａの周壁面にすぼめられ、取付孔５ａを通過すると拡開して筐体２の内側壁面に係合するものである。
【実施例３】
【００２０】
この第３実施例は、図３（Ａ）〜（Ｄ）に示すように、バイオネット構造であって、パネル用コネクタ５の接続部５ａに、バイオネット構造の溝が設けられている。よって、図３（Ａ）〜（Ｄ）に示すように、接続部５ａを取付孔２ａに差込み、基板用コネクタ４の接続部に嵌合させ、バイオネット構造の溝に沿って約半回転させることで、ロックが完了する。
【００２１】
以上のように、各実施例において、各基板用コネクタの接続部とパネル用コネクタの接続部との嵌合方法は、ねじ嵌合構造、ワンタッチロック構造、バイオネット構造のいずれか一つであり、図４に示すように、部品点数が基板用コネクタ４とパネル用コネクタ５とであって、従来例における部品点数を示す図５の場合と比較すると、明らかに部品点数が減少している。また、接続作業性も、従来よりもはるかに容易になり作業性能が向上している。
【産業上の利用可能性】
【００２２】
本発明に係る発明に係る太陽光発電システムのコネクタ構造は、他の電気的接続部品にも広く適用できるものである。
【符号の説明】
【００２３】
１          太陽光発電システムのコネクタ構造、
２          筐体、                            ２ａ      取付孔、
３          プリント基板、
４          基板用コネクタ、                  ４ａ      接続部、
４ｂ        コンタクト、
５          パネル用コネクタ、                ５ａ      接続部、
５ｂ        取付用フランジ、                  ５ｃ      コンタクト、  
５ｄ        ロック金具、 
６          パッキン、
７          嵌合用絶縁体、                    ７ａ      接合部。
【図１】
2013145707.tif 000003
【図２】
2013145707.tif 000004
【図３】
2013145707.tif 000005
【図４】
2013145707.tif 000006
【図５】
2013145707.tif 000007
【図６】
2013145707.tif 000008
【図７】
2013145707.tif 000009